(57)【要約】【課題】運転席のユーザと助手席のユーザとのうちのどちらのユーザが操作したか特定できる車載電子装置を提供する。【解決手段】運転席のシート２０のシート座面部２３にシートセンサ１１３を設ける。シートセンサ１１３は３つの感圧センサ２４ａ〜２４ｃより構成される。車両の進行方向側に設けられた感圧センサ２４ａ，２４ｂの圧力が大きくなり、シートバック側に設けられた感圧センサ２４ｃの圧力が小さくなったときに、車載電子装置の操作が検出された場合は、運転席のユーザが操作したと判断することができる。一方、感圧センサ２４ａ〜２４ｃの圧力に変化がないときに、車載電子装置の操作が検出された場合は、助手席のユーザが操作したと判断することができる。【選択図】図２
2008014871.tif 000002
【特許請求の範囲】
【請求項１】
映像を表示する表示モニタと、
前記表示モニタの前面に配設され、押圧された位置に応じた位置信号を出力するタッチパネルと、
前記タッチパネルを押圧するユーザを特定するユーザ特定手段と、
前記ユーザ特定手段で特定されたユーザに基づいて、前記位置信号に応じた処理を実行する処理実行手段とを備えることを特徴とする車載電子装置。
【請求項２】
請求項１の車載電子装置において、
前記処理手実行段は、前記位置信号により実行される処理の有効／無効を決定する決定手段を含むことを特徴とする車載電子装置。
【請求項３】
請求項１の車載電子装置において、
一の方向から視認される第１の画像および他の方向から視認される第２の画像を生成する画像生成手段をさらに備え、
前記処理実行手段は、前記ユーザ特定手段で特定されたユーザに基づいて、前記一の方向から視認される第１の画像に関する処理と、前記他の方向から視認される第２の画像に関する処理のいずれを実行するかを決定する決定手段を含むことを特徴とする車載電子装置。
【請求項４】
請求項１乃至３のいずれか１項に記載の車載電子装置において、
前記ユーザ特定手段は、運転席のシートに設けられたセンサによって、または運転席のシートおよび助手席のシートに設けられたセンサによって、前記タッチパネルを押圧したユーザを特定することを特徴とする車載電子装置。
【請求項５】
請求項４項に記載の車載電子装置において、
前記ユーザ特定手段は、前記タッチパネルを押圧したユーザが運転席のユーザであると特定する以外は、助手席のユーザであると特定することを特徴とする車載電子装置。
【請求項６】
請求項１乃至５のいずれか１項に記載の車載電子装置において、
運転席のユーザごとのドライビングポジションを登録する登録手段をさらに備え、
前記ユーザ特定手段は、前記登録手段に登録されているユーザごとに前記タッチパネルを押圧したユーザを特定するための異なるアルゴリズムを有することを特徴とする車載電子装置。
【発明の詳細な説明】
【技術分野】
【０００１】
本発明は、運転席のユーザの操作を無効にし、助手席のユーザの操作を有効にすることができる車載電子装置に関する。
【背景技術】
【０００２】
運転席のユーザの操作が制限されているメニューボタンを、視野角度シャッターによって車両が移動中に見えないようにする表示装置が従来技術として知られている（特許文献１）。
【特許文献１】特開２００５−５５６１１号公報
【発明の開示】
【発明が解決しようとする課題】
【０００３】
特許文献１に記載されている表示装置では、車両走行中に運転席のユーザの操作が制限されるボタンの表示位置を、視野角度シャッターの設けられた位置に合わせなくてはいけない。このため、ボタンのレイアウトが制限され、表示画面が見づらくなるという問題点がある。
【課題を解決するための手段】
【０００４】
（１）請求項１の発明の車載電子装置は、映像を表示する表示モニタと、表示モニタの前面に配設され、押圧された位置に応じた位置信号を出力するタッチパネルと、タッチパネルを押圧するユーザを特定するユーザ特定手段と、ユーザ特定手段で特定されたユーザに基づいて、位置信号に応じた処理を実行する処理実行手段とを備えることを特徴とする。
（２）請求項２の発明は、請求項１の車載電子装置において、処理手実行段は、位置信号により実行される処理の有効／無効を決定する決定手段を含むことを特徴とする。
（３）請求項３の発明は、請求項１の車載電子装置において、一の方向から視認される第１の画像および他の方向から視認される第２の画像を生成する画像生成手段をさらに備え、処理実行手段は、ユーザ特定手段で特定されたユーザに基づいて、一の方向から視認される第１の画像に関する処理と、他の方向から視認される第２の画像に関する処理のいずれを実行するかを決定する決定手段を含むことを特徴とする。
（４）請求項４の発明は、請求項１乃至３のいずれか１項に記載の車載電子装置において、ユーザ特定手段は、運転席のシートに設けられたセンサによって、または運転席のシートおよび助手席のシートに設けられたセンサによって、タッチパネルを押圧したユーザを特定することを特徴とする。
（５）請求項５の発明は、請求項４項に記載の車載電子装置において、ユーザ特定手段は、タッチパネルを押圧したユーザが運転席のユーザであると特定する以外は、助手席のユーザであると特定することを特徴とする。
（６）請求項６の発明は、請求項１乃至５のいずれか１項に記載の車載電子装置において、運転席のユーザごとのドライビングポジションを登録する登録手段をさらに備え、ユーザ特定手段は、登録手段に登録されているユーザごとにタッチパネルを押圧したユーザを特定するための異なるアルゴリズムを有することを特徴とする。
【発明の効果】
【０００５】
本発明によれば、運転席のユーザと助手席のユーザとのうちのどちらのユーザが車載電子装置を操作したか特定できる。したがって、タッチパネルの位置信号に応じた処理を特定したユーザに基づいて実行することができ、その結果、運転席のユーザの操作が制限されているボタンを隠す必要がない。
【発明を実施するための最良の形態】
【０００６】
−第１の実施形態−
本発明の第１の実施形態によるナビゲーション装置の構成を図１に示す。図１のナビゲーション装置１Ａは、運転席にシートセンサ１１３が設けられており、運転席に座っているユーザの重心移動を検出することができる。ナビゲーション装置１Ａは、制御回路１１、ＲＯＭ１２、ＲＡＭ１３、現在地検出装置１４、画像メモリ１５、表示モニタ１６、入力装置１７、スピーカ１８、タッチパネル１９、ディスクドライブ１１１およびシートセンサ１１３を有している。ディスクドライブ１１１には、ＤＶＤ−ＲＯＭ１１２が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１２に記憶された地図データに基づいて所定の経路探索処理を行うと、その処理結果が推奨経路として表示モニタ１６に表示される。
【０００８】
現在地検出装置１４は車両の現在地を検出する装置であり、たとえば、車両の進行方向を検出する振動ジャイロ１４ａ、車速を検出する車速センサ１４ｂ、ＧＰＳ（ Global Positioning System ）衛星からのＧＰＳ信号を検出するＧＰＳセンサ１４ｃなどからなる。ナビゲーション装置１Ａは、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは道路地図描画用データや各種の図形データからなり、それらはディスクドライブ１１１によって読み込まれるＤＶＤ−ＲＯＭ１１２に記憶された地図データに基づいて、適宜生成される。ナビゲーション装置１は、このようにして生成された画像データを用いることによって地図表示など行うことができる。
【００１０】
ディスクドライブ１１１は、装填されたＤＶＤ−ＲＯＭ１１２から、表示モニタ１６へ地図を表示するための地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。なお、ＤＶＤ−ＲＯＭ１１２以外の他の記録メディア、たとえばＣＤ−ＲＯＭやハードディスクなどより地図データを読み出してもよい。
【００１１】
表示モニタ１６は、地図データなどの各種情報に基づいて、自車位置付近の道路地図などの各種情報を画面表示としてユーザに提供する。入力装置１７は、ユーザが各種コマンドの設定などするための操作キーを有し、操作パネルやリモコンなどによって実現される。ユーザは、表示モニタ１６の表示画面の指示に従って入力装置１７を手動で操作することにより、目的地を選択して設定する。スピーカ１８は、ユーザに操作案内したり、経路誘導したりするための音声を出力する。
【００１２】
目的地がユーザにより設定されると、ナビゲーション装置１はＧＰＳセンサ１４ｃにより検出された現在地を出発地として目的地までの経路演算を所定のアルゴリズムに基づいて行う。以下、この経路演算を探索演算と呼ぶ。このようにして求められたルート（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路にしたがって車両が走行できるように、表示モニタ１６に表示された道路地図に推奨経路を表示し、ユーザに対して画面や音声などによる進行方向指示を行い、車両を経路誘導する。
【００１３】
タッチパネル１９は表示モニタ１６のモニタ画面上に設けられた透明パネルであり、表示モニタ１６に表示した表示画面はタッチパネル１９を通して表示される。また、表示モニタ１６の表示画面を押圧すると、タッチパネル１９から押圧位置に応じた位置信号が出力さ、タッチパネルコントロール部１１０において押圧位置が算出される。タッチパネル１９は、入力装置１７と同様に入力機能を有する。表示モニタ１６に表示された地図画面や各種機能のメニュー、ボタン、アイコンなどを指で押圧すると、タッチパネル１８が押圧され、位置信号がタッチパネルコントロール部１１０に出力される。タッチパネルコントロール部１１０は、押圧位置を算出し、算出した押圧位置を制御回路１１に出力する。そして、制御回路１１は、その押圧位置に基づいて目的地を設定したり、各種機能のメニューやボタン、アイコンに定義された処理を実行する。
【００１４】
シートセンサ１１３は複数の感圧センサから構成され、運転席に座っているユーザの重心移動を検出する。シートセンサ１１３の詳細について図２を参照して説明する。図２（ａ）は運転席のシート２０を示す図である。シート２０は、シートヘッド部２１、シート背面部２２およびシート座面部２３より構成される。シート座面部２３には、シートセンサ１１３を構成する３つの感圧センサ２４ａ〜２４ｃが設けられている。図２（ｂ）に示すように、シート座面部２３の車両進行方向側に２つの感圧センサ２４ａ，２４ｂが並列に設けられており、シート座面部２３の車両進行方向と反対側に１つの感圧センサ２４ｃが設けられている。これらの感圧センサ２４ａ〜２４ｃは運転席に座っているユーザの体重による圧力を受ける。感圧センサ２４ａ〜２４ｃが検出する圧力は制御回路１１において常に監視されており、感圧センサ２４ａ〜２４ｃが検出する圧力変化によってユーザの重心移動を検出する。たとえば、感圧センサ２４ａ，２４ｂが検出した圧力は大きくなり、感圧センサ２４ｃが検出した圧力は小さくなった場合は、重心の車両進行方向移動を検出する。
【００１５】
次に、表示画面に表示されたボタンが運転席のユーザによって押圧されたか、助手席のユーザによって押圧されたかを判断する押圧ボタン判断処理について、図３〜６を参照して説明する。
【００１６】
図３は、表示モニタ１６に表示されている表示画面を説明するための図である。表示画面には、地図３０が表示されている。地図３０には、自車位置マーク３１が重ねて表示されている。地図３０の右側には、地図３０を広域地図に切り替える広域ボタン３２ａ、地図３０を詳細地図に切り替える詳細ボタン３２ｂおよびメインメニューを開くメニューボタン３２ｃが表示されている。ここで車両は走行中であるので、運転席のユーザには、メニュー画面を開くことが禁止されているものとする。
【００１７】
図３に示すように、メニューボタン３２ｃが押圧されたとき、シートセンサ１１３の検出した圧力を図４に示す。図４（ａ）は感圧センサ２４ａが検出した圧力であり、図４（ｂ）は感圧センサ２４ｂが検出した圧力であり、図４（ｃ）は感圧センサ２４ｃが検出した圧力である。図４（ａ）〜（ｃ）に示されている時刻ｔ１は、メニューボタン３２ｃが押圧された時刻である。メニューボタン３２ｃが押圧されたとき（時刻ｔ１）、シート座面部２３の車両進行方向側に設けられた感圧センサ２４ａ，２４ｂが検出した圧力が大きくなっており、シート座面部２３の車両進行方向と反対側に設けられた感圧センサ２４ｃが検出した圧力が小さくなっている。これより、メニューボタン３２ｃが押圧されたとき、運転席のユーザの重心が車両進行方向に移動したことがわかる。したがって、このような圧力変化が検出された場合、メニューボタン３２ｃを押圧操作したのは運転席のユーザであると判断できる。この場合、車両走行中における運転席のユーザのメニュー画面を開く操作は禁止されているので、メニューボタン３２ｃが押圧されてもメニュー画面は表示されない。
【００１８】
一方、シートセンサ１１３の検出した圧力が図５に示すような場合、助手席のユーザがメニューボタン３２ｃを押圧したものと判断でき、メニュー画面は表示モニタ１６に表示される。ここで、図５（ａ）は感圧センサ２４ａが検出した圧力であり、図５（ｂ）は感圧センサ２４ｂが検出した圧力であり、図５（ｃ）は感圧センサ２４ｃが検出した圧力である。図５（ａ）〜（ｃ）に示されている時刻ｔ１は、図４と同様にメニューボタン３２ｃが押圧された時刻である。メニューボタン３２ｃが押圧されたとき、感圧センサ２４ａ〜２４ｃで検出した圧力はほぼ一定であり変化していない。これより、メニューボタン３２ｃが押圧されたとき、運転席のユーザの重心が移動していないことがわかる。したがって、メニューボタン３２ｃは運転席のユーザによって操作されていない、つまり、助手席のユーザによって操作されたと判断できる。
【００１９】
助手席のユーザが操作したと判断された場合、図６に示すように、メニューボタン３２ｃが押圧されるとメニュー画面３３が表示モニタ１６に表示される。ここで、メニュー画面３３には、目的地となる施設などを検索する検索ボタン３４ａ、各種設定を行う設定ボタン３４ｂ、推奨経路の探索を行う探索ボタン３４ｃおよび交通情報を表示する交通情報ボタン３４ｄが表示される。
【００２０】
次に、運転席のユーザの操作が禁止されているボタンを運転席のユーザが押圧操作しても、そのボタンに定義された処理が実行されないボタン無効化処理について、図７のフローチャートを参照して説明する。図７の処理は、制御回路１１において、表示画面にボタンが表示されるとスタートするプログラムを実行して行われる。また、説明の便宜上、感圧センサ２４ａを感圧センサＡと、感圧センサ２４ｂを感圧センサＢと、感圧センサ２４ｃを感圧センサＣとする。
【００２１】
ステップＳ７０１では、シートセンサ１１３を構成する感圧センサＡ〜Ｃにより圧力を検出する。ステップＳ７０２では、所定時間以上、検出した圧力がほぼ一定であるか判定する。ほぼ一定の場合はステップＳ７０２が肯定判定され、ステップＳ７０３へ進む。ほぼ一定ではない場合はステップＳ７０２が否定判定され、ステップＳ７０１へ戻る。ステップＳ７０３では、感圧センサＡ、感圧センサＢおよび感圧センサＣにより所定時間検出した圧力の平均値を、それぞれの感圧センサＡ〜Ｃの基準圧力として算出する。
【００２２】
ステップＳ７０４では、感圧センサＡ〜Ｃにより圧力を検出する。ステップＳ７０５では、感圧センサＡの圧力が基準圧力より所定値以上大きくなり、かつ感圧センサＢの圧力が基準圧力より所定値以上大きくなり、かつ感圧センサＣの圧力が基準圧力より所定値以上小さくなったか判定する。ステップＳ７０５が肯定判定されると、ステップＳ７０６へ進み、ステップＳ７０５が否定判定されると、ステップＳ７０８へ進む。
【００２３】
ステップＳ７０６では、運転席のユーザの操作が制限されているボタン３２ｃを無効にする。このとき、ボタン３２ｃが押圧されても、ボタン３２ｃに定義された処理を実行しない。ステップＳ７０７では、タッチパネル１９から出力される信号に基づいて、所定時間以上、タッチパネルが押圧されていないか判定する。押圧されていない場合はステップＳ７０７が肯定判定され、ステップＳ７０２に戻る。押圧された場合はステップＳ７０７が否定判定され、ステップＳ７０４へ戻る。
【００２４】
ステップＳ７０８では、運転席のユーザの操作が制限されているボタンを有効にする。このとき、ボタン３２ｃが押圧されると、ボタン３２ｃに定義された処理を実行する。
【００２５】
以上の第１の実施形態によるナビゲーション装置１Ａは次のような作用効果を奏する。
（１）運転席のユーザと助手席のユーザとのうちのどちらのユーザがナビゲーション装置１Ａのタッチパネル１９を押圧操作したか特定できる。したがって、運転席のユーザの操作が制限されるボタン３２ｃを隠す必要はない。
【００２６】
（２）運転席のシート２０に設けられたシートセンサ１１３によって、運転席のユーザおよび助手席のユーザのどちらのユーザがタッチパネル１９を押圧したかを特定するので、シートに着席しているユーザの重心移動に基づいて、タッチパネル１９を押圧したユーザを確実に特定することができる。
【００２７】
（３）感圧センサ２４ａ〜２４ｃの基準圧力を算出し、検出した圧力を基準圧力と比較してタッチパネル１９を押圧したユーザを特定する。したがって、ユーザの座り方、たとえば、前かがみの座り方であったり、シート背面部２２によりかかる座り方であっても、タッチパネル１９を操作したユーザを特定することができる。
【００２８】
以上の実施の形態のナビゲーション装置１Ａを次のように変形することができる。
（１）シートセンサ２０は運転席のシートに設けたが、助手席のシートにも設けてもよい。助手席に設けることによって、より確実に運転席のユーザの操作か、助手席のユーザの操作か判断することができる。
【００２９】
（２）図８（ａ）に示すように、シート座面部２３に代えてシート背面部２２に感圧センサ４１ａ，４１ｂを設けてもよい。運転席のユーザがナビゲーション装置を操作する場合、運転席のユーザの重心は車両進行方向に移動する。このため、シート背面部２３に設けられた感圧センサ４１ａ，４１ｂが検出した圧力が小さくなる。したがって、シート背面部２２に設けられた感圧センサ４１ａ，４１ｂが検出した圧力を監視することによって、ナビゲーション装置１Ａの操作が運転席のユーザであるか、助手席のユーザであるか特定することができる。また、図８（ｂ）に示すように、感圧センサ２４ａ〜２４ｃ,４１ａ，４１ｂを背面部２２とシート座面部２３との両方に設けてもよく、このようにすることによって、より確実に運転席のユーザの操作か、助手席のユーザの操作か判断することができる。
【００３０】
（３）オートドライビングポジションシステムによって複数のユーザのドライビングポジションをＲＡＭ１３などのメモリに記憶するとき、ナビゲーション装置１Ａを操作したユーザを判断するアルゴリズムも同時に記憶し、それぞれの運転席のユーザにあったアルゴリズムによってナビゲーション装置１を操作したユーザを判断できるようにしてもよい。たとえば、Ａさんはナビゲーション装置１を操作する場合、シート背面部２２から背中を離し、Ｂさんは、シート背面部２２から背中を離さない場合を考える。オートドライビングポジションシステムによって作動させたドライビングポジションがＡさんによって設定されたドライビングポジションである場合、シート背面部２２に設けた感圧センサ４１ａ，４１ｂが圧力を検出しなくなったとき、運転席のユーザがナビゲーション装置１Ａを操作したと判断する。一方、ドライビングポジションがＢさんのドライビングポジションである場合、シート背面部２２に設けた感圧センサ４１ａ，４１ｂの圧力が基準圧力より弱い圧力を検出したとき、運転席のユーザがナビゲーション装置１Ａを操作したと判断する。オートドライビングポジションシステムによって作動させたドライビングポジションによって、運転席のユーザを特定することができるので、運転席のユーザの個性に合わせたアルゴリズムを設けることができ、より確実にタッチパネル１９を押圧したユーザを特定することができる。
【００３１】
（４）イメージセンサや赤外線センサで撮影した映像を画像処理することによって、運転席のユーザがナビゲーション装置１Ａを操作したか、助手席のユーザがナビゲーション装置１Ａを操作したか判断するようにしてもよい。この場合、運転席のユーザおよび助手席のユーザを撮影し、どちらのユーザがナビゲーション装置１Ａを操作する動作を行ったかによって、運転席のユーザがナビゲーション装置１Ａを操作したか、助手席のユーザがナビゲーション装置１Ａを操作したか判断する。
【００３２】
−第２の実施形態−
本発明の第２の実施形態によるナビゲーション装置の構成を図９に示す。第１の実施形態のナビゲーション装置１Ａと共通する部分は同一の符号を付し、第１の実施形態のナビゲーション装置１Ａと異なる部分を主に説明する。ナビゲーション装置１Ｂの表示モニタ１６は、運転席側から視認される表示画面と助手席側から視認される表示画面を異なるようにすることができ、たとえば、運転席側から見える表示画面には自車位置周辺の地図を表示し、助手席側から見える表示画面には地上デジタル放送の映像を表示する。以下では、運転席側から視認される表示画面を運転席画面と呼び、助手席側から視認される表示画面を助手席画面と呼ぶ。この実施の形態では、シートセンサ１１３からの信号に基づいて、運転席画面のボタン操作か助手席画面のボタン操作か判別する。
【００３３】
ナビゲーション装置１Ｂは、制御回路１１、ＲＯＭ１２、ＲＡＭ１３、現在地検出装置１４、画面メモリ１５、表示モニタ１６、表示モニタコントロール部１１４、入力装置１７、スピーカ１８、タッチパネル１９、ディスクドライブ１１１、シートセンサ１１３および地上デジタル放送受信部１１５を有している。
【００３４】
地上デジタル放送受信部１１５は、地上デジタル放送を受信し、その受信した放送の内容を表示モニタコントロール部１１４やスピーカ１８に出力する。
【００３５】
表示モニタ１６は、地上デジタル放送受信部１１５で受信した地上デジタル放送の映像情報を出力する。表示モニタ１６には２つの映像が表示され、表示モニタ１６の液晶パネルの前面に配置された光学系分離素子によって、運転席側から１つの映像が見え、助手席側からほかの映像が見える。表示モニタコントロール部１１４は、運転席側からは一の映像が、助手席側からは他の映像が見えるように表示映像を生成する。たとえば、運転席には自車位置付近の地図を提示し、助手席には地上デジタル放送の映像を提示するように表示モニタ１６の映像信号を生成する。
【００３６】
スピーカ１８は、地上デジタル放送受信部１１５で受信した地上デジタル放送の音声情報を出力する。
【００３７】
運転席画面と助手席画面のどちらのボタンに定義された処理を実行するかの押圧ボタン判断処理について、図４，５，１０，１１を参照して説明する。
【００３８】
図１０は、運転席画面を説明する図である。図１０（ａ）に示すように、表示モニタ１６の運転席画面には、図３と同様の表示画面が表示されている。図１０（ａ）に示すように、車両停止中に運転席のユーザがメニューボタン３３ｃを押圧すると、図１０（ｂ）に示すように、メニュー画面３３が表示モニタ１６に表示される。
【００３９】
すなわち、メニューボタン３２ｃが押圧されたとき（時刻ｔ１）の感圧センサ２４ａ〜２４ｃが検出した圧力が、図４（ａ）〜（ｃ）に示されるような場合は、運転席のユーザが操作したと判断され、図１０（ｂ）に示すメニュー画面３３が表示される。一方、メニューボタン３２ｃが押圧されたときの感圧センサ２４ａ〜２４ｃが検出した圧力が、図５（ａ）〜（ｃ）に示されるような場合は、助手席のユーザが操作したと判断され、メニューボタン３２ｃが押圧されてもメニュー画面３３は表示されない。
【００４０】
図１１は、助手席画面を説明するための図である。助手席画面には、図１１（ａ）に示すように、地上デジタル放送の映像が表示されている。地上デジタル放送の映像に重ねて、映像の右側には、チャンネル切替画面を開くメニューボタン６１が表示される。メニューボタン６１の表示位置は、運転席側から見える表示画面に表示されたメニューボタン３２ｃの表示位置と同じであるものとする。
【００４１】
図１１（ａ）に示すように、助手席のユーザがメニューボタン５１を押圧すると、図１１（ｂ）に示すようにチャンネル切替画面６２が表示される。ここで、チャンネル切替画面６２には、視聴している地上デジタル放送のチャンネルを切り替えるチャンネルボタン６３ａ〜６３ｈが表示される。
【００４２】
すなわち、メニューボタン６１が押圧されたとき（時刻ｔ１）の感圧センサ２４ａ〜２４ｃが検出した圧力が、図５（ａ）〜（ｃ）に示されるような場合は、助手席のユーザが操作したものと判断され、図１１（ｂ）に示すチャンネル切替画面６２が表示される。一方、メニューボタン６１が押圧されたとき（時刻ｔ１）の感圧センサ２４ａ〜２４ｃが検出した圧力が、図４（ａ）〜（ｃ）に示されるような場合は、運転席のユーザが操作したものと判断され、メニューボタン６１が押圧されてもチャンネル切替画面６２は表示されない。
【００４３】
以上より、運転席画面内のメニューボタン３２ｃと助手席画面内のメニューボタン６１との表示位置が同じであっても、感圧センサ２４ａ〜２４ｃによって検出される圧力を監視することによって、運転席のユーザがメニューボタン３２ｃを押圧したか、助手席のユーザがメニューボタン６１を押圧したかを判別することができる。
【００４４】
次に、運転席画面に表示されたボタンと、助手席画面に表示されたボタンとのどちらのボタンに定義された処理を実行すればよいか判断する処理ボタン判断処理について、図１２のフローチャートを参照して説明する。図１２の処理は、制御回路１１において、表示画面にボタンが表示されるとスタートするプログラムを実行して行われる。ここで、第１の実施形態における図７のボタン無効化処理と同一のステップについては同一の符号を付し、第１の実施形態におけるボタン無効化処理と異なる部分を主に説明する。
【００４５】
ステップＳ７０５では、感圧センサＡの圧力が基準圧力より所定値以上大きくなり、かつ感圧センサＢの圧力が基準圧力より所定値以上大きくなり、かつ感圧センサＣの圧力が基準圧力より所定値以上小さくなったか判定する。ステップＳ７０５が肯定判定されると、ステップＳ１２０１へ進む。ステップＳ７０５が否定判定されると、ステップＳ１２０２へ進む。
【００４６】
ステップＳ１２０１では、運転席画面に表示されたボタンを有効にし、助手席画面に表示されたボタンを無効にする。そして、ステップＳ７０７へ進む。ステップＳ１２０２では、助手席画面に表示されたボタンを有効にし、運転席画面に表示されたボタンを無効にする。そして、ステップＳ７０７へ進む。
【００４７】
以上の実施形態によるナビゲーション装置１は次のような作用効果を奏する。
（１）運転席のユーザと助手席のユーザとのうちのどちらのユーザがナビゲーション装置１のタッチパネル１９を押圧操作したか判別できるので、運転席画面に表示されたボタンに定義された処理を実行するか、助手席画面に表示されたボタンに定義された処理を実行するかを判断することができる。すなわち、運転席画面の画像に関する処理と、助手席画面の画像に関する処理のいずれを実行するかを決定することができる。したがって、運転席画面に表示されるアイコンやボタンの表示位置と、助手席画面に表示されるアイコンやボタンの表示位置とが重畳しないようにずらす必要はない。
【００４８】
（２）運転席のシート２０に設けられたシートセンサ１１３によって、運転席のユーザおよび助手席のユーザのどちらのユーザがタッチパネル１９を押圧したかを特定するので、シートに着席しているユーザの重心移動に基づいて、タッチパネル１９を押圧したユーザを確実に特定することができる。したがって、運転席画面の画像に関する処理と、助手席画面の画像に関する処理のいずれを実行するかを正確に決定することができる。
【００４９】
（３）感圧センサ２４ａ〜２４ｃの基準圧力を算出し、検出した圧力を基準圧力と比較してタッチパネル１９を押圧したユーザを特定する。したがって、ユーザの座り方、たとえば、前かがみの座り方であったり、シート背面部２２によりかかる座り方であっても、運転席画面の画像に関する処理と、助手席画面の画像に関する処理のいずれを実行するかを正確に決定することができる。
【００５０】
以上の第２の実施形態のナビゲーション装置１Ｂを次のように変形することができる。
（１）第１の実施形態の変形例と同様に、助手席のシートにもシートセンサを設けてもよい。助手席に設けることによって、より確実に、運転席画面に表示されたボタンに定義された処理を実行すべきか、助手席画面に表示されたボタンに定義された処理を実行すべきか判断することができる。
【００５１】
（２）第１の実施形態の変形例と同様に、シート座面部２３の感圧センサ２４ａ〜２４ｃに代えて、シート背面部２２に感圧センサ４１ａ，４１ｂを設けてもよい。シート背面部２２に感圧センサ４１ａ，４１ｂを設けても、運転席画面に表示されたボタンに定義された処理を実行すべきか、助手席画面に表示されたボタンに定義された処理を実行すべきか判断することができる。また、シートセンサ２０の感圧センサを背面部２２とシート座面部２３との両方に設けてもよい。このようにすることによって、より確実に、運転席画面に表示されたボタンに定義された処理を実行すべきか、助手席画面に表示されたボタンに定義された処理を実行すべきか判断することができる。
【００５２】
（３）第１の実施形態の変形例と同様に、オートドライビングポジションシステムによって複数のユーザのドライビングポジションをＲＡＭ１３などのメモリに記憶するとき、ナビゲーション装置１を操作したユーザを判断するアルゴリズムも同時に記憶してもよい。これにより、それぞれの運転席のユーザにおけるボタン操作時の体の動かし方の癖に基づいたアルゴリズムによって、ナビゲーション装置１を操作したユーザを判断できるようにしてもよい。
【００５３】
（４）表示モニタ１６に表示される表示画面の種類は、実施形態に限定されない。たとえば、運転席画面に車両のエアコンの設定画面やオーディオ画面を表示し、助手席画面にビデオテープやＤＶＤの映像を表示するようにしてもよい。
【００５４】
（５）助手席画面に表示されたボタンを優先にし、すなわち、常時は助手席画面のボタンを有効とし、運転席画面のボタンを無効としてもよい。そして、運転席のユーザが操作したと判断した場合にのみ、助手席画面に表示されたボタンを無効にし、運転席画面に表示されたボタンを有効にする。感圧センサ２４ａ〜２４ｃの検出した圧力から運転席のユーザが操作したか、助手席のユーザが操作したかを判断できないときでも、運転席画面に表示されたボタンに定義された処理を実行すべきか、助手席画面に表示されたボタンに定義された処理を実行すべきかを判断することができる。
【００５５】
（６）第１の実施形態と同様に、イメージセンサや赤外線センサで撮影した映像を画像処理することによって、運転席画面に表示されたボタンに定義された処理を実行するか、助手席画面に表示されたボタンに定義された処理を実行するか判断するようにしてもよい。
【００５６】
本発明は、車載電子装置であればナビゲーション装置に限定されない。
【００５７】
本発明は、運転席のユーザと助手席のユーザとのうちのどちらのユーザがナビゲーション装置１Ａ，１Ｂを操作したか判別できるものであれば、実施形態に限定されない。
【００５８】
特許請求の範囲の要素と実施の形態との対応関係を説明する。
本願発明のユーザ特定手段は制御回路１１およびシートセンサ１１３に対応し、処理実行手段は制御回路１１に対応する。画像生成手段は表示モニタコントロール部１１４に対応し、登録手段はＲＡＭ１３に対応する。なお、以上の説明はあくまで一例であり、発明を解釈する上で、上記の実施形態の構成要素と本発明の構成要素の対応関係になんら限定されるものではない。
【図面の簡単な説明】
【００５９】
【図１】本発明の第１実施形態のナビゲーション装置の構成を示すブロック図である。
【図２】シートセンサを説明するための図である。
【図３】地図画面に表示されているボタンを説明するための図である。
【図４】運転席のユーザがメニューボタンを押圧したときに感圧センサで検出される圧力を説明するための図である。
【図５】助手席のユーザがメニューボタンを押圧したときに感圧センサで検出される圧力を説明するための図である。
【図６】助手席のユーザがメニューボタンを押圧したときに表示されるメニュー画面を説明するための図である。
【図７】ボタン無効化処理を説明するためのフローチャートである。
【図８】シートセンサの変形例を説明するための図である。
【図９】本発明の第２実施形態のナビゲーション装置の構成を示すブロック図である。
【図１０】運転席側から視認される表示画面を説明するための図である。
【図１１】助手席側から視認される表示画面を説明するための図である。
【図１２】本発明の第２の実施形態における処理ボタン判断処理を説明するためのフローチャートである。
【符号の説明】
【００６０】
１Ａ，１Ｂ  ナビゲーション装置
１１  制御回路
１６  表示モニタ
１９  タッチパネル
２４ａ〜２４ｃ，４１ａ，４１ｂ  感圧センサ
１１１  タッチパネルコントロール部
１１３  シートセンサ
１１４  表示モニタコントロール部
１１５  地上デジタル放送受信部
【図１】
2008014871.tif 000003
【図２】
2008014871.tif 000004
【図３】
2008014871.tif 000005
【図４】
2008014871.tif 000006
【図５】
2008014871.tif 000007
【図６】
2008014871.tif 000008
【図７】
2008014871.tif 000009
【図８】
2008014871.tif 000010
【図９】
2008014871.tif 000011
【図１０】
2008014871.tif 000012
【図１１】
2008014871.tif 000013
【図１２】
2008014871.tif 000014